(57)【要約】【課題】個人情報等のプライバシー及びセキュリティの保護が図れるようにした画像表示媒体及び書込装置を提供する。【解決手段】書き込まれた画像を電源オフ後も保持する電子ペーパ１１は、その表示領域１２に、剥離が可能で再貼着が不可能な接着剤により、不透明な目隠しシート１３が貼着されている。目隠しシート１３が、表示領域１２から一旦剥がされると、再貼着することはできないので、第三者に個人情報が漏れた可能性を認識することができる。また、目隠しシート１３が剥離されることにより、電極１４Ａ，１４Ｂ間が非導通になり、書込装置１８による書き込みが禁止される。【選択図】図１
2008116636.tif 000002
【特許請求の範囲】
【請求項１】
書き込まれた画像を電源オフ後も保持する表示媒体と、
前記画像の表示領域の少なくとも一部に剥離が可能で再貼着が困難に貼着された不透明な目隠しシートと、
を備えることを特徴とする画像表示媒体。
【請求項２】
前記表示媒体は、一対の電極を有し、前記目隠しシートは、前記一対の電極間を短絡させる導電部材を有することを特徴とする請求項１に記載の画像表示媒体。
【請求項３】
見開き可能に連結され、書き込まれた画像を電源オフ後も保持する第１及び第２の表示媒体を備え、
第１及び第２の表示媒体は、前記画像の表示領域が互いに重なるようにして、剥離が可能で再貼着が困難に貼着されたことを特徴とする画像表示媒体。
【請求項４】
前記第１及び第２の表示媒体は、前記第１及び第２の表示媒体が重ね合わされた状態にあるときに接続可能なように前記第１及び第２の表示媒体に設けられた複数のコンタクト電極を備えることを特徴とする請求項３に記載の画像表示媒体。
【請求項５】
前記複数のコンタクト電極は、書き込み用の電極に対する電源用配線の一部を構成し、前記第１の表示媒体側のコンタクト電極と前記第２の表示媒体側のコンタクト電極との接続が断たれたときに電極表面を非導通化し、書き込みができなくなることを特徴とする請求項４に記載の画像表示媒体。
【請求項６】
書き込まれた画像を電源オフ後も保持するとともに、一対の電極を有する表示媒体に、画像を書き込む書込部と、
前記一対の電極間が非導通のとき、前記書込部による前記表示媒体への画像の書き込みを禁止する制御部と、
を備えたことを特徴とする書込装置。
【発明の詳細な説明】
【技術分野】
【０００１】
本発明は、画像表示媒体及び書込装置に関する。
【背景技術】
【０００２】
例えば、個人情報が記載された郵便はがき等は、複数の第三者に容易に見られる可能性が高く、個人情報の保護に問題がある。そこで、従来より、郵便等では、個人情報が印刷された部分に目隠しシートを剥離可能で再貼着が困難な接着剤で貼り、或いは２つ折りにして剥離可能な接着剤で貼った状態で配達し、受信者がシールを剥がし、或いは２枚の書面を開くことにより、個人情報記載面が露出する圧着はがきが用いられている。目隠しシートは、一度剥がすと再貼着ができないため、配達過程で第三者が故意に剥がしたか否かを容易に知ることができる。
【０００３】
上記した圧着はがきは、未シール状態のはがきに個人情報をプリンタ等により印刷した後、個人情報の印刷部分をシール（圧着処理）しているため、印刷から圧着処理に至る過程で、個人情報を作業員に見られてしまう可能性があり、プライバシー及びセキュリティの保護に問題がある。
【０００４】
個人情報の印刷及び表示の隠蔽処理を、人手を介さず同時に処理する技術も提案されている（例えば、特許文献１，２参照）。
【０００５】
また、近年注目されている電子ペーパにおいても、電源がオフにされても画像が消えないため、個人情報のプライバシー及びセキュリティの保護に問題がある。この問題を解決するものとして、コレステリック液晶からなる画像表示層を２つ持ち、上層の表示層を透過モードにすることで下層の表示層に形成された画像を始めて見ることができるようにした画像表示媒体が知られている（例えば、特許文献３参照）。
【特許文献１】特開平１1-1６７３４８号公報
【特許文献２】特開２００５−２５０１５５号公報
【特許文献３】特開２００４−３５４６６１号公報
【発明の開示】
【発明が解決しようとする課題】
【０００６】
本発明の目的は、個人情報等のプライバシー及びセキュリティの保護が図れるようにした画像表示媒体及び書込装置を提供することにある。
【課題を解決するための手段】
【０００７】
本発明の一態様は、上記目的を達成するため、以下の画像表示媒体及び書込装置を提供する。
【０００８】
［１］書き込まれた画像を電源オフ後も保持する表示媒体と、前記画像の表示領域の少なくとも一部に剥離が可能で再貼着が困難に貼着された不透明な目隠しシートと、を備えることを特徴とする画像表示媒体。
【０００９】
［２］前記表示媒体は、一対の電極を有し、前記目隠しシートは、前記一対の電極間を短絡させる導電部材を有することを特徴とする前記［１］に記載の画像表示媒体。
【００１０】
［３］見開き可能に連結され、書き込まれた画像を電源オフ後も保持する第１及び第２の表示媒体を備え、第１及び第２の表示媒体は、前記画像の表示領域が互いに重なるようにして、剥離が可能で再貼着が困難に貼着されたことを特徴とする画像表示媒体。
【００１１】
［４］前記第１及び第２の表示媒体は、前記第１及び第２の表示媒体が重ね合わされた状態にあるときに接続可能なように前記第１及び第２の表示媒体に設けられた複数のコンタクト電極を備えることを特徴とする前記［３］に記載の画像表示媒体。
【００１２】
［５］前記複数のコンタクト電極は、書き込み用の電極に対する電源用配線の一部を構成し、前記第１の表示媒体側のコンタクト電極と前記第２の表示媒体側のコンタクト電極との接続が断たれたときに電極表面を非導通化し、書き込みができなくなることを特徴とする前記[４]に記載の画像表示媒体。
【００１３】
［６］書き込まれた画像を電源オフ後も保持するとともに、一対の電極を有する表示媒体に、画像を書き込む書込部と、前記一対の電極間が非導通のとき、前記書込部による前記表示媒体への画像の書き込みを禁止する制御部と、を備えたことを特徴とする書込装置。
【発明の効果】
【００１４】
請求項１の画像表示媒体によれば、目隠しシートによって、表示領域に表示された個人情報等のプライバシー及びセキュリティを保護することができる。
【００１５】
請求項２の画像表示媒体によれば、目隠しシートが剥がされた場合の書き込みを禁止することができる。
【００１６】
請求項３の画像表示媒体によれば、２つの表示媒体の表示領域を重ね合わせて貼着したことにより、それぞれの表示領域に表示された個人情報等のプライバシー及びセキュリティを保護することができる。
【００１７】
請求項４，５の画像表示媒体によれば、２つの表示媒体が開かれたとき、書き込みを禁止することができる。
【００１８】
請求項６の書込装置によれば、表示媒体から目隠しシートが剥離され、或いは２枚の表示媒体が剥がされた場合、表示媒体への書き込みを禁止することができる。
【発明を実施するための最良の形態】
【００１９】
［第１の実施の形態］
（画像表示媒体の構成）
図１は、本発明の第１の実施の形態に係る画像表示媒体を示す。この画像表示媒体１は、図１の（ａ）に示すように、表示媒体である電子ペーパ１１と、目隠しシート１３とを備え、目隠しシート１３は、図１の（ｂ）に示すように、電子ペーパ１１の表示領域１２に剥離が可能で再貼着が困難な接着剤、例えば、光重合アクリル系ＵＶ硬化剤を用いて感光硬化により貼着された構成を有している。
【００２０】
電子ペーパ１１は、電気泳動、サーマルリライタブル、液晶、エレクトロクロミック、微小粉流体等を用いた表示方式により構成されている。また、電子ペーパ１１は、表示領域１２の外側、例えば、下側の近傍に一対の電極１４Ａ，１４Ｂを有すると共に、外側部に書込装置１８に接続される電極部１６を有している。
【００２１】
目隠しシート１３は、表示領域１２の表示内容が読み取れないように、不透明な材料（例えば、アルミニウム箔紙）を用いて構成され、或いは白濁化、着色、モザイク印刷等の処理が施されている。更に、電子ペーパ１１の電極１４Ａ，１４Ｂに接触可能にして、内面に帯状の透明電極１３ａが設けられている。
【００２２】
書込装置１８は、電子ペーパ１１への画像の書き込みを行う駆動回路，電源回路等からなる書込部と、書込部を制御するＣＰＵ，メモリ等からなる制御部とを備えて構成され、書き込み時には、接続コード１７を介して電子ペーパ１１に接続される。接続コード１７は、電子ペーパ１１の電極部１６に接続されるコネクタ１７ａを一端に備えている。書込部は、メモリに記憶された画像データに基づいて電子ペーパ１１に画像を書き込むものであり、制御部は、一対の電極１４Ａ，１４Ｂ間が導通状態のとき、書込部による電子ペーパ１１への画像の書き込みを許可し、一対の電極１４Ａ，１４Ｂ間が非導通状態のとき、書込部による電子ペーパ１１への画像の書き込みを禁止するように制御する。
【００２３】
（画像表示媒体の動作）
次に、画像表示媒体の動作について説明する。画像表示媒体１に書き込みを行うとき、図１の（ａ）に示すように、接続コード１７を介して書込装置１８に接続する。このとき、目隠しシート１３が電子ペーパ１１に貼着されていれば、書込装置１８により通常の書き込みが可能になる。目隠しシート１３を剥がさない状態においては、書込装置１８により電子ペーパ１１に何度も書き換えが可能である。
【００２４】
次に、受信者、使用者等が、図１の（ｂ）に示す状態にある表示媒体１の表示内容を見たいとき、図１の（ｂ）に示す状態の電子ペーパ１１から目隠しシート１３を剥がすことにより、図１の（ａ）に示すように、表示領域１２が露出し、表示領域１２の内容を見ることが可能になる。
【００２５】
但し、一旦目隠しシート１３を剥がすと、粘着性が無いので、再度目隠しシート１３を表示領域１２に貼着することはできない。従って、受信者、使用者等に電子ペーパ１１が手渡されたとき、電子ペーパ１１に目隠しシート１３が貼着されていなかった場合、目隠しシート１３が第三者により剥がされたことを知ることができる。
【００２６】
しかし、電子ペーパ１１への目隠しシート１３の貼着が通常の状態であることを認識できない場合もある。このような場合でも、以下のようにして目隠しシート１３の剥がしを確認することができる。
【００２７】
目隠しシート１３が電子ペーパ１１から剥がされた場合、透明電極１３ａも電極１４Ａ，１４Ｂから剥がされるため、それまで透明電極１３ａで短絡されていた一対の電極１４Ａ，１４Ｂ間の電気的接続がオープンになる。これにより、書込装置１８の制御部は、一対の電極１４Ａ，１４Ｂ間が非導通状態であることを検出し、書込部による電子ペーパ１１への書き込みを禁止する。この制御により、第三者による書き込みが防止される。同時に、書込装置１８は、警告のメッセージをディスプレィに表示し、或いはランプを点灯する等により、電子ペーパ１１の受信者、使用者等に通知する。
【００２８】
（画像表示媒体の使用形態）
画像表示媒体１の使用形態として、以下の様なケースがある。
（１）プライバシー情報を含む公的証明書（戸籍謄本や住民票）を窓口で交付する場合
ａ．窓口で表示領域１２を目隠しシート１３で隠したまま、証明書の画像を画像表示媒体１の媒体に書き込む。
ｂ．表示領域１２を目隠しシート１３で隠したままの画像表示媒体１を、証明書の請求者に手渡す。
ｃ．請求者は、必要なときに目隠しシート１３を剥がして証明書として使用することができる。
以上により、窓口係員の目に記載内容が触れることなく、プライバシー性の高い文書／証明書を交付することができる。
【００２９】
（２）銀行の窓口で客が忘れたＡＴＭの暗証番号を交付する場合
ａ．通帳や銀行印や身分証明書で本人確認をする。
ｂ．窓口で表示領域１２を目隠しシート１３で隠したまま、暗証番号を画像表示媒体１に書き込む。
ｃ．表示領域１２を目隠しシート１３で隠したままの画像表示媒体１を、口座開設者に手渡す。
ｄ．口座開設者はＡＴＭの前で、目隠しシート１３を剥がして暗証番号を読み、ＡＴＭに入力する。
ｅ．ＡＴＭの近傍に書込装置１８を設置しておけば、これを口座開設者が操作して画像表示媒体１の表示を消すことができる。
以上により、窓口行員が暗証番号を知ることなく、暗証番号を口座開設者に伝えることができ、更に、口座開設者の目の前で表示を消すことができるため、実際に暗証番号の漏洩を防げるだけでなく、口座開設者のセキュリティへの信頼感の増大を期待できる。また、書込装置１８が媒体ＩＤを読み取る機能を備えることで、口座開設者が正しく画像表示媒体１の表示を消す作業を行ったか否かをチエックすることが可能になり、口座開設者が表示を消していなかったとしても、注意を喚起することができる。
【００３０】
なお、電子ペーパ１１上の目隠しシート１３の貼着領域に「目隠しシートが剥がされました」等のメッセージを印刷しておき、目隠しシート１３が剥がされることによりメッセージが視認される構成にしてもよい。
【００３１】
［第２の実施の形態］
（画像表示媒体の構成）
図２は、本発明の第２の実施の形態に係る画像表示媒体を示す。この画像表示媒体２は、図２の（ａ）に示すように、表示媒体である第１の電子ペーパ２１と第２の電子ペーパ２２とを、それぞれの表示面２１ａ，２２ａが内側になるようにして、樹脂等からなる帯状の連結部材３０により見開き可能に連結した構成を有している。
【００３２】
図２の（ａ）に示す状態において、第１の電子ペーパ２１の表示面２１ａと第２の電子ペーパ２２の表示面２２ａとは、剥離可能で再貼着が困難な接着剤（図示せず）によって図２の（ｂ）に示すように貼着されている。
【００３３】
第１の電子ペーパ２１は、表示面２１ａの表示領域１２ａの一辺に隣接させてコンタクト電極２３Ａ，２３Ｂを有している。同様に、第２の電子ペーパ２２は、表示面２２ａの表示領域１２ｂの一辺に隣接させてコンタクト電極２３Ａ，２３Ｂに接続可能なコンタクト電極２４Ａ，２４Ｂを有している。また、第１の電子ペーパ２１の書込み面３１には、表示面側電極２５が設けられている。
【００３４】
（画像表示媒体の構成）
図３は、画像表示媒体の詳細構成を示す。図３においては、画像表示媒体２は、第１及び第２の電子ペーパ２１，２２を接着した状態で示している。第１及び第２の電子ペーパ２１，２２は同一構成であり、例えば、特開２００２−３３７３９３号公報に示される構成の光書込み型記録媒体を用いて構成されている。
【００３５】
第１の電子ペーパ２１は、上記表示面側電極２５と、一対の透明電極（ＩＴＯ：Indium Tin Oxide）２６Ａ，２６Ｂと、透明電極２６Ａ，２６Ｂ間に順次配設された表示層２７、隔離層２８及び光スイッチング層２９と、ＲＦＩＤ（Radio Frequency Identification）タグ３９とを備えて構成されている。なお、ＲＦＩＤタグ３９に代えて他の方式によるタグ、例えば、赤外線方式によるＩＤタグを用いることもできる。
【００３６】
光スイッチング層２９は、印加電圧の極性に応じて抵抗成分の比を制御することができる。書き込み面３１側の透明電極２６Ｂから光を照射すると、照射光量に応じて光スイッチング層２９の抵抗値が変化し、表示層２７に画像が記録されるように構成されている。
【００３７】
内側の透明電極２６Ａの内面には表示面側電極２５の一端が接続され、その他端は書き込み面３１に露出している。また、透明電極２６Ａの外面の所定位置には、コンタクト電極２３Ｂが接続されている。更に、コンタクト電極２３Ｂに隣接させて、かつ透明電極２６Ａ、隔離層２８及び光スイッチング層２９を貫通するようにして外側の透明電極２６Ｂにコンタクト電極２３Ａが接続されている。
【００３８】
第２の電子ペーパ２２は、一対の透明電極（ＩＴＯ電極）３２Ａ，３２Ｂと、透明電極３２Ａ，３２Ｂ間に順次配設された光スイッチング層３５、隔離層３４及び表示層３３とを備え、書き込み面３７側の透明電極３２Ｂから光を照射すると、照射光量に応じて光スイッチング層３５の抵抗値が変化し、表示層３３に画像が記録されるように構成されている。
【００３９】
外側の透明電極３２Ｂの外面には書込面側電極３６の一端が接続され、その他端は書き込み面２４Ｂに露出している。また、透明電極３２Ａの内面の所定位置には、コンタクト電極２４Ｂが接続されている。更に、コンタクト電極２４Ｂに隣接させて、かつ、透明電極３２Ａ、光スイッチング層３５、隔離層３４及び表示層３３を貫通するようにして外側の透明電極３２Ｂにコンタクト電極２４Ａが接続されている。
【００４０】
コンタクト電極２３Ａ、２３Ｂ、２４Ａ、２４Ｂは、アルミニウムや銅などの薄い箔膜で構成されており、コンタクト面の垂直方向にある一定以上の張力が加わると、箔膜が破断し永久的に導通性を失う性質を持つ。コンタクト電極２３Ａとコンタクト電極２４Ａ、及びコンタクト電極２３Ｂとコンタクト電極２４Ｂは、導電粘着剤３８によって電気的に接続されている。導電粘着剤３８は、第１の電子ペーパ２１と第２の電子ペーパ２２が貼り合わされている状態では対向するコンタクト電極同士を粘着力により接触状態を維持し、電気的な接続を実現するが、第１の電子ペーパ２１と第２の電子ペーパ２２が剥離する時に、コンタクト電極に２３Ａ、２３Ｂ、２４Ａ、２４Ｂのいずれか、またはすべては、剥離による張力のために破断され導通性を失う。つまり一旦剥離した後では、導通を回復しない性質を有する。
【００４１】
従って、画像表示媒体２は、第１の電子ペーパ２１と第２の電子ペーパ２２が貼り合わされた状態のとき、表示面側電極２５と書込面側電極３６間に電圧を印加すると、書込面側電極３６、透明電極３２Ｂ、コンタクト電極２４Ａ、導電粘着剤３８、コンタクト電極２３Ａを介して、第１の電子ペーパ２１の透明電極２６Ａ，２６Ｂ間に電圧が印加され、表示面側電極２５、透明電極２６Ａ、コンタクト電極２３Ｂ、導電粘着剤３８、コンタクト電極２４Ｂを介して、第２の電子ペーパ２２の透明電極３２Ａ，３２Ｂ間に電圧が印加され、２つの電子ペーパ２１，２２の表示層２７，３３に画像を書き込むことが可能となる。一旦電子ペーパ２１，２２間が剥離されると、コンタクト電極間の導通が切れることにより、画像の書込みはできなくなる。
【００４２】
表示層２７，３３は、相変化する閾値を持つメモリ性のある液晶、具体的には、ポリマ分散型液晶（ＰＤＬＣ）やカイラルスメクチックＣ相等の強誘電液晶或いはコレステリック液晶等を用いることができる。また、これらをカプセル化した液晶素子も使用可能である。更には、電気泳動、エレクトロクロミック、電界回転型素子等も使用可能である。
【００４３】
光スイッチング層２９，３５は、電圧印加の方向により抵抗成分が異なり、かつ、それらの抵抗値が制御できる素子であればよく、光スイッチング層３５は、具体的には、図３の拡大図に示すように、一対の電荷発生層１０１，１０２と、この電荷発生層１０１，１０２間に配設された電荷輸送層１０３とからなる。電荷発生層１０１，１０２は、例えば、ＢＺＰ（ベンズイミダゾールペリレン）を蒸着法により所定の厚みに形成したものである。光スイッチング層２９も、図３の拡大図に示すように、構成されている。
【００４４】
電荷輸送層１０３は、例えば、Ｎ−Ｂｉｓ（３，４−ｄｉｍｅｔｈｙｌｐｈｅｎｙｌ）ｂｉｐｈｅｎｙｌ−４−ａｍｉｎｅと、バインダ樹脂ＰｏｌｙＣａｒｂｏｎａｔｅ  ｂｉｓｐｈｅｎｏｌ−Ｚ（ポリ（４，４’−シクロヘキシリデンジフェニレンカーボネート））をそれぞれ４０ｗｔ％、６０ｗｔ％の割合で混合した後、これをモノクロロベンゼンに溶解させて１５％の溶液を作製し、この溶液をディップコート法により１２０ｎｍ／分の速度で引き上げ、４μｍの厚みに形成して構成されている。
【００４５】
（書込装置の構成）
図４は、書込装置の構成を示す。この書込装置３は、図３に示した画像表示媒体２にデータを書き込むために用いられる。
【００４６】
書込装置３は、第１及び第２の電子ペーパ２１，２２を張り合わせた状態の画像表示媒体２が挿入される挿入口４１を備えた本体４０と、挿入口４１の上下に配設されたマイクロレンズアレイ４２Ａ，４２Ｂと、マイクロレンズアレイ４２Ａ，４２Ｂに重ね合わされた透過型ＬＣＤパネル４３Ａ，４３Ｂと、透過型ＬＣＤパネル４３Ａ，４３Ｂに照明光を照射するバックライト４４Ａ，４４Ｂと、挿入口４１の所定位置に設けられたＲＦＩＤリーダ４５と、表示面側電極２５及び書込面側電極３６に加圧接触するコンタクト電極４６Ａ，４６Ｂと、ＲＦＩＤリーダ４５の制御及び書き込み制御を行う制御装置４７と、を備えて構成されている。
【００４７】
透過型ＬＣＤパネル４３Ａ，４３Ｂは、制御装置４７からの画像データに基づいて画像を表示する。
【００４８】
バックライト４４Ａ，４４Ｂは、例えば、白色光を出光する複数のＬＥＤ（発光素子）を光源にして、透過型ＬＣＤパネル４３Ａ，４３Ｂの背面にバックライト光を照射する構成を有している。
【００４９】
ＲＦＩＤリーダ４５は、画像表示媒体２に内蔵されているＲＦＩＤタグ３９と同じ通信方式、例えば、電磁誘導方式、電波方式等の無線によりデータを送受信する回路を備えている。
【００５０】
コンタクト電極４６Ａ，４６Ｂは、例えば、先端部がスプリングの弾性力を利用して表示面側電極２５及び書込面側電極３６に点接触または線接触するように構成されている。
【００５１】
制御装置４７は、例えば、ＣＰＵ、プログラムが格納されたＲＯＭ、画像データが格納されるデータ格納用メモリ、表示面側電極２５及び書込面側電極３６を介して透過型ＬＣＤパネル４３Ａ，４３Ｂを駆動する表示駆動回路、バックライト４４Ａ，４４Ｂを駆動するバックライト駆動回路、電子ペーパに電圧を印加する電子ペーパ駆動回路、各回路に電源供給を行う電源回路等を備えて構成されている。
【００５２】
（画像表示媒体及び書込装置の動作）
図５は、画像表示媒体２の書込装置３への装着状態を示す図である。図２の（ａ）及び図３に示すように、画像表示媒体２が、第１の電子ペーパ２１と第２の電子ペーパ２２が閉じた状態にあるとき、コンタクト電極２３Ａ，２４Ａ及びコンタクト電極２３Ｂ，２４Ｂが導電粘着剤３８によって導通しており、これを書込装置３に装着すれば正常に書き込みを行うことができる。
【００５３】
一方、第１の電子ペーパ２２と第２の電子ペーパ２１が剥がされた場合、導電粘着剤３８の表面が酸化して絶縁体になり、第１の電子ペーパ２１と第２の電子ペーパ２２を合わせても上記各コンタクト電極間は導通しない。このため、書込装置３に装着しても、画像表示媒体２に書き込みを行うことはできない。また、第２の電子ペーパ２２から第１の電子ペーパ２１を剥離した場合、再貼着することは無いので、そのことから第三者に個人情報が漏れた可能性を認識できる。
【００５４】
図３に示す状態の画像表示媒体２に書き込みを行う場合、図５に示すように、ＲＦＩＤタグ３９が上側になるようにして、画像表示媒体２を書込装置３の挿入口４１に挿入する。画像表示媒体２を所定位置まで挿入すると、コンタクト電極４６Ａ，４６Ｂが表示面側電極２５及び書込面側電極３６に接触する。
【００５５】
次に、書込装置３の電源をオンにする。コンタクト電極２３Ａ，２４Ａ間、及びコンタクト電極２３Ｂ，２４Ｂ間が導通状態にあるとき、表示面側電極２５及び書込面側電極３６からの電圧は、電子ペーパ２１，２２に並列に印加され、書き込み動作が可能な状態になる。これを認識した制御装置４７は、電子ペーパ２１，２２への書き込みを許可する。
【００５６】
まず、制御装置４７はＲＦＩＤリーダ４５を動作させ、ＲＦＩＤタグ３９から電子ペーパＩＤ、画像ＩＤ等のデータを取得する。制御装置４７は、取得したＩＤを認識すると、画像書込み時に表示駆動回路を動作させ、電子ペーパ駆動回路から高電圧の低周波電圧を出力し、コンタクト電極４６Ａ，４６Ｂを介して表示面側電極２５と書込面側電極３６に、極性が交互に正負に切り替わるパルス列電圧を印加する。同時に、制御装置４７は、表示駆動回路及びバックライト４４Ａ，４４Ｂを動作させる。表示駆動回路からは画像データに応じた駆動電圧が出力され、これにより透過型ＬＣＤパネル４３Ａ，４３Ｂが駆動され、画像が表示される。
【００５７】
透過型ＬＣＤパネル４３Ａ，４３Ｂに表示された画像は、バックライト４４Ａ，４４Ｂによるバックライト光により、マイクロレンズアレイ４２Ａ，４２Ｂを介して電子ペーパ２１，２２の透明電極２６Ｂ，３２Ｂに投影される。
【００５８】
ここで、第２の電子ペーパ２２における書き込みについて説明する。透過型ＬＣＤパネル４３Ｂから画像光が照射されると、光スイッチング層３５は、電荷発生層１０１，１０２に電荷が発生し、この電荷が電圧印加方向に応じて電荷輸送層１０３を通して光電流として流れる。すなわち、透明電極３２Ｂをプラスとし、透明電極３２Ａをマイナスとして電圧を印加した状態で透明電極３２Ｂ側から光を照射した場合、電荷発生層１０１から電荷発生層１０２に向かって電荷輸送層１０３内を正電荷が移動し、負電荷がその反対方向に向かって移動し、電荷発生層１０２から電荷発生層１０１へ光電流が流れる。
【００５９】
光スイッチング層３５が、印加される電圧の極性に応じて、同一光量の光が照射されたときの抵抗値が相互に異なる特性を有することにより、その抵抗値の変化に応じた電圧が表示層３３に印加されることにより、表示層３３に画像が記録される。
【００６０】
第１の電子ペーパ２１についても同様に画像が書き込まれる。
【００６１】
なお、コンタクト電極２３Ａ，２４Ａ間、またはコンタクト電極２３Ｂ，２４Ｂ間のインピーダンスを測定することにより、書込装置３は、画像表示媒体２が開封前か開封済みかを判定してもよい。
【００６２】
（画像表示媒体の使用形態）
第２の実施の形態の画像表示媒体２の使用形態として、緊急時に使うパスワードをオペレータに配布するケースがある。平時は秘密漏洩防止のために電子ペーパ２１，２２を取り合わせたままとし、緊急事態が発生した場合、電子ペーパ２２から電子ペーパ２１を剥離する。
【００６３】
密封した紙文書でも同様のことを行えるが、定期的にパスワードを変更するような場合、使わなかったパスワードも機密情報であることから、秘密にしたまま回収する必要がある。しかし、図３に示した構成の画像表示媒体２であれば、開封しないまま、書込装置３により画像表示媒体２の内容を書き換えることができ、セキュリティが向上する。
【００６４】
［第３の実施の形態］
（画像表示媒体の構成）
図６は、本発明の第３の実施の形態に係る画像表示媒体を示す。この画像表示媒体４は、ほぼ全域が表示領域５１である電子ペーパ１１において、表示領域５１の一部、例えば、約１／２の領域にのみ、図６の（ｂ）の状態から図６の（ａ）に示す状態に、剥離可能で再貼着が困難な接着剤により目隠しシート５２を貼着したものであり、その他の構成は第１の実施の形態と同様である。なお、図６においては、電極部１６及び書込装置１８の図示を省略している。
【００６５】
（画像表示媒体の使用形態）
第３の実施の形態の画像表示媒体４の使用形態として、くじがある。この場合、目隠しシート５２は、或る一定期間の間、いつでも剥がすことができる。つまり、或る一定期間の間、図６の（ａ）に示すように、いつでもくじを開封することができる。くじは、例えば、毎日、抽選が行われ、当たり／外れが変わる。そして、時期が早いほど、当たりの確率は低く、時期が後になるほど当たる確率が上がる。また、或る特定のクジについては、昨日は当たりで、今日は外れということもある。くじは、当たりが出ると当選金が払われることにより原資が減り、後になるほど当たった時の当選金の額が減るシステムになっている。また、払戻金はクジの値段の１／１０以下になるが、空くじはない。
【００６６】
開封する前であれば、期間中何度でも当たりか外れかの画像を、目隠しシート５２を貼着したまま表示領域５１に書き込むことができる。画像表示媒体４は、開封すると透明電極１３ａが電極１４Ａ，１４Ｂから剥がされるため、当たり／外れが確定し、以後は、電子ペーパ１１の書き換えを行うことはできない。なお、くじは、開封前においては、煩雑に書き換えた場合に、当たる確率が上がるようにしてもよい。
【００６７】
また、表示領域５１の表示領域５２を貼着しなかった表示域（末シール面）に広告やクーポンを印字するようにしてもよい。
【００６８】
［第４の実施の形態］
（画像表示媒体の構成）
図７は、本発明の第４の実施の形態に係る画像表示媒体を示す。この画像表示媒体５は、第３の実施の形態において、ポイントカード兼スクラッチくじ用に構成したものであり、その他の構成は第３の実施の形態と同様である。
【００６９】
画像表示媒体４は、第３の実施の形態において表示領域５１であった部分に、“当たり”又は“はずれ”のくじ５４が図７の（ｃ）に示すように書き込まれており、このくじ５４を隠すようにして、スクラッチ可能なシール５３が塗布されている。更に、図７の（ａ）に示すように、くじ５４の全体を覆うようにして表示領域５１に目隠しシート５２が剥離可能で再貼着が困難な接着剤により貼着されている。
【００７０】
くじ５４を開封する前の画像表示媒体４は、図７の（ａ）の状態にあり、開封すると（ｂ）の状態になる。ここで、ユーザがシール５３の１つをコイン等により擦ると、図７の（ｃ）に示すように除去され、くじ５４の内容を見ることができる。“当たり”が出た場合、主催者に見せて、所定の手続きをする。
【００７１】
ポイントが貯まると、スクラッチくじの当たる確率が上がるようになっている。くじ５４が使用済みになった後は、電子ペーパ１１をポイントカードとして使うことができる。
【００７２】
ポイントカードとして用いる場合、第１の実施の形態で用いた書込装置１８に画像表示媒体５を接続し、ポイントを更新する。目隠しシート５２が剥がされた後は、くじ５４に対する書き換えは行えないようになる。
【００７３】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【図面の簡単な説明】
【００７４】
【図１】本発明の第１の実施の形態に係る画像表示媒体を示す斜視図である。
【図２】本発明の第２の実施の形態に係る画像表示媒体を示す斜視図である。
【図３】図２の画像表示媒体の詳細構成を示す断面図である。
【図４】第２の実施の形態の画像表示媒体に適用される書込装置の構成を示す断面図である。
【図５】第２の実施の形態の画像表示媒体を書込装置に装着した状態を示す図である。
【図６】本発明の第３の実施の形態に係る画像表示媒体を示す斜視図である。
【図７】本発明の第４の実施の形態に係る画像表示媒体を示す斜視図である。
【符号の説明】
【００７５】
１，２，４        画像表示媒体
３  書込装置
１１  電子ペーパ
１２，１２ａ，１２ｂ  表示領域
１３  目隠しシート
１３ａ  透明電極
１４Ａ，１４Ｂ  電極
１６  電極部
１７  接続コード
１７ａ  コネクタ
１８  書込装置
２１  第１の電子ペーパ
２２  第２の電子ペーパ
２１ａ，２２ａ  表示面
２２  電子ペーパ
２２ａ  表示面
２３Ａ，２３Ｂ  コンタクト電極
２４Ａ，２４Ｂ  コンタクト電極
２５  表示面側電極
２６Ａ，２６Ｂ  透明電極
２７，３３  表示層
２８，３４  隔離層
２９，３５  光スイッチング層
３０  連結部材
３１  書き込み面
３２Ａ，３２Ｂ  透明電極
３６  書込面側電極
３８  導電粘着剤
３９  ＲＦＩＤタグ
４０  本体
４１  挿入口
４２Ａ，４２Ｂ  マイクロレンズアレイ
４３Ａ，４３Ｂ  透過型ＬＣＤパネル
４４Ａ，４４Ｂ  バックライト
４５  ＲＦＩＤリーダ
４６Ａ，４６Ｂ  コンタクト電極
４７  制御装置
５１  表示領域
５２  目隠しシート
５３  シール
５４  くじ
１０１，１０２  電荷発生層
１０３  電荷輸送層
【図１】
2008116636.tif 000003
【図２】
2008116636.tif 000004
【図３】
2008116636.tif 000005
【図４】
2008116636.tif 000006
【図５】
2008116636.tif 000007
【図６】
2008116636.tif 000008
【図７】
2008116636.tif 000009